(57)【要約】【課題】焼付き現象により、表示画面の輝度が不均一となる。【解決手段】表示装置において、自発光素子と、前記自発光素子を駆動する駆動トランジスタと、前記自発光素子の劣化情報を検出する検出部と、前記劣化情報に応じて、立ち上がり及び／または立ち下がり波形の鈍った基準電圧信号を前記駆動トランジスタのゲートに印加する基準信号印加部とを備える。【選択図】図１１
2012058369.tif 000002
【特許請求の範囲】
【請求項１】
自発光素子と、
前記自発光素子を駆動する駆動トランジスタと、
前記自発光素子の劣化情報を検出する検出部と、
前記劣化情報に応じて、劣化が進んでいるほど立ち上がり及び／または立ち下がり波形がより鈍った基準電圧信号を前記駆動トランジスタのゲートに印加する基準信号印加部と、
を有することを特徴とする表示装置。
【請求項２】
前記基準信号印加部は、
矩形形状のパルス信号を発生するパルス信号発生部と、
前記パルス信号から前記基準電圧信号を生成するフィルタ部と、
を有することを特徴とする請求項１記載の表示装置。
【請求項３】
前記フィルタ部は、ローパスフィルタであることを特徴とする請求項２記載の表示装置。
【請求項４】
前記表示装置は、更に、前記劣化情報に応じて、フィルタのフィルタ係数を変化させるフィルタ制御部を有することを特徴とする請求項２記載の表示装置。
【請求項５】
前記フィルタ制御部は、前記劣化情報が所定の閾値よりも小さい場合に、前記パルス信号発生部で発生したパルス信号をそのまま通過させるように制御することを特徴とする請求項４記載の表示装置。
【請求項６】
前記表示装置は、更に、階調値に応じた表示電圧を保持する保持容量を有し、
前記基準信号印加部は、前記保持容量を介して、前記基準電圧信号を、前記駆動トランジスタのゲートに印加することを特徴とする請求項１記載の表示装置。
【請求項７】
前記駆動トランジスタはＰＭＯＳトランジスタであることを特徴とする請求項１記載の表示装置。
【請求項８】
複数の自発光素子と、前記複数の自発光素子をそれぞれ駆動する複数の駆動トランジスタとを有し、マトリクス状に配置された複数の画素と、
前記複数の自発光素子の劣化情報を検出する検出部と、
前記劣化情報に応じて、劣化が進んでいるほど前記立ち上がり及び／または立ち下がり波形がより鈍った基準電圧信号を、前記複数の駆動トランジスタのうち、１または複数の列または行を構成する前記複数の画素に含まれる前記複数の駆動トランジスタのゲートに印加する基準信号印加部と、
を有することを特徴とする表示装置。
【発明の詳細な説明】
【技術分野】
【０００１】
本発明は、表示装置に関するものであり、特には、自発光素子を有する表示装置に関する。
【背景技術】
【０００２】
近年、有機発光ダイオード（Organic Light Emitting Diode）に代表される有機ＥＬ（Organic Electro-luminescent）素子と呼ばれる自発光体を用いた画像表示装置（以下、「有機ＥＬ表示装置」という。）が実用化段階にある。この有機ＥＬ表示装置は、従来の液晶表示装置と比較して、自発光体を用いているため、視認性、応答速度の点で優れているだけでなく、バックライトのような補助照明装置を要しないため、更なる薄型化が可能となっている。
【０００３】
例えば、このような自発光型の表示装置として、従来から、発光層に注入した正孔と電子とが再結合することにより光を生じることを利用したいわゆる電流制御型の有機ＥＬ表示装置が提案されている。
【０００４】
しかしながら、上記のような自発光型の表示装置では、発光量と時間に応じて、発光輝度が低下する特性がある。この発光輝度の低下は、発光特性の劣化が原因である。発光特性の劣化が進行すると、同じ駆動条件下でも発光輝度の低下が次第に進行し、初期の発光輝度を維持できなくなる。
【０００５】
また、カラー表示を行う自発光型の表示装置においては、ＲＧＢ各色で発光に用いる発光材料が異なるため、ＲＧＢ各色で温度特性および経時変化特性が異なる。このため、ＲＧＢ各色間の相対的な輝度特性が経時変化により変化し、色バランスのシフトが視認される場合がある。このような色度変化が生じると、例えば、人間の顔の映像が映るときに、顔色が変化して見える。
【０００６】
上記のような発光輝度の低下は、一般には、一様には進行せず、表示画面内で発光特性の劣化にばらつきが生じる。これは、一定のパターンを有する画像を長時間表示すること等に起因する。このような発光素子における輝度の劣化のばらつきが、表示画面内で視認される状態を「焼付き現象」といい、問題となる。
【０００７】
このような焼付き減少に対する対策としては、特許文献１には、例えば、１フレーム期間内の発光期間を規定する発光期間制御信号として、立ち上がり波形が鈍った信号を供給することで、劣化の進んだ自発光素子の発光期間を、劣化の進んでいない自発光素子に比して短くする構成が開示されている。当該構成によれば、結果的に劣化の進んだ自発光素子と劣化の進んでいない自発光素子との劣化量の差を縮小することができる。
【先行技術文献】
【特許文献】
【０００８】
【特許文献１】特開２００８−１０２２２３号公報
【発明の概要】
【発明が解決しようとする課題】
【０００９】
しかしながら、上記特許文献１の表示装置においては、劣化の進行した自発光素子の発光期間を劣化の進んでいない自発光素子の発光期間より短くすることから、劣化した自発光素子の発光輝度を大きくすることはできず、画面全体としての輝度が低下する。したがって、上記焼付き現象の問題を効果的に解決することはできない。
【００１０】
本発明は、上記課題に鑑みて、表示画面の輝度をより均一にすることができる表示装置を提供することを目的とする。
【課題を解決するための手段】
【００１１】
（１）本発明の表示装置は、自発光素子と、前記自発光素子を駆動する駆動トランジスタと、前記自発光素子の劣化情報を検出する検出部と、前記劣化情報に応じて、劣化が進んでいるほど立ち上がり及び／または立ち下がり波形がより鈍った基準電圧信号を前記駆動トランジスタのゲートに印加する基準信号印加部と、を有する。
【００１２】
（２）上記（１）に記載の表示装置において、前記基準信号印加部は、矩形形状のパルス信号を発生するパルス信号発生部と、前記パルス信号から前記基準電圧信号を生成するフィルタ部と、を有する。
【００１３】
（３）上記（２）に記載の表示装置において、前記フィルタ部は、ローパスフィルタである。
【００１４】
（４）上記（２）に記載の表示装置は、更に、前記劣化情報に応じて、フィルタのフィルタ係数を変化させるフィルタ制御部を有する。
【００１５】
（５）上記（４）に記載の表示装置において、前記フィルタ制御部は、前記劣化情報が所定の閾値よりも小さい場合に、前記パルス信号発生部で発生したパルス信号をそのまま通過させるように制御する。
【００１６】
（６）上記（１）に記載の表示装置は、更に、階調値に応じた表示電圧を保持する保持容量を有し、前記基準信号印加部は、前記保持容量を介して、前記基準電圧信号を、前記駆動トランジスタのゲートに印加する。
【００１７】
（７）上記（１）に記載の表示装置において、前記駆動トランジスタはＰＭＯＳトランジスタである。
【００１８】
（８）本発明の別の態様の表示装置は、複数の自発光素子と、前記複数の自発光素子をそれぞれ駆動する複数の駆動トランジスタとを有し、マトリクス状に配置された複数の画素と、前記複数の自発光素子の劣化情報を検出する検出部と、前記劣化情報に応じて、劣化が進んでいるほど前記立ち上がり及び／または立ち下がり波形がより鈍った基準電圧信号を、前記複数の駆動トランジスタのうち、１または複数の列または行を構成する前記複数の画素に含まれる前記複数の駆動トランジスタのゲートに印加する基準信号印加部と、を有する。
【発明の効果】
【００１９】
表示画面の輝度をより均一にすることができる表示装置を提供できる。
【図面の簡単な説明】
【００２０】
【図１】本発明の実施形態における表示装置を概略的に示す図である。
【図２】図１に示した表示装置の構成を概略的に説明するための図である。
【図３】本発明の実施形態における各画素の構成を説明するための図である。
【図４】本発明の実施形態におけるデータ線駆動部の構成を説明するための図である。
【図５】本発明の実施形態におけるフィルタの一例を示すための図である。
【図６】本発明の実施形態における各画素の動作を説明するための図である。
【図７】本発明の実施形態における各制御信号のタイミングチャートを示す図である。
【図８】本発明の実施形態における立ち上がり及び／または立ち下がりにおいて鈍ったＶＳＬについて説明するための図である。
【図９】本発明の実施形態における発光期間での劣化した有機ＥＬの発光強度を説明するための図である。
【図１０】表示画面端部の縦方向の焼付きを示す図である。
【図１１】本変形例における表示装置を説明するための図である。
【図１２】本変形例における各画素を説明するための図である。
【図１３】表示画面端部の横方向の焼付きを示す図である。
【発明を実施するための形態】
【００２１】
以下、本発明の実施の形態について、図面を参照しつつ説明する。なお、図面において、同一又は同等の要素には同一の符号を付し、重複する説明を省略する。
【００２２】
図１は、本発明の実施形態に係る表示装置１００を概略的に示す図である。図１に示すように、有機ＥＬ表示装置１００は、マトリクス状に配置された複数の画素（図示せず）等を有するＴＦＴ（Thin Film Transistor）基板１５０を挟むように固定する上フレーム１１０及び下フレーム１２０と、表示する情報を生成する回路素子を有する回路基板１４０と、その回路基板１４０において生成されたＲＧＢの情報をＴＦＴ基板１５０に伝えるフレキシブル基板１３０により構成される。なお、図１に示した表示装置１００は、例示であって、これに限定されるものではない。
【００２３】
図２は、図１に示した表示装置の構成を概略的に説明するための図である。図２に示すように、表示装置１００は、表示制御部２０１、データ線駆動部２０２、走査線駆動部２０３、表示領域２０４、駆動電圧生成部２０５を有する。
【００２４】
表示制御部２０１は、入力される駆動電圧生成部２０５、水平同期信号２０７、データイネーブル信号２０８、表示データ（アナログまたはデジタル）２０９、同期クロック２１０から、データ線制御信号２１１、走査線制御信号２１２を生成し、それぞれデータ線駆動部２０２及び走査線駆動部２０３に出力する。
【００２５】
ここで、駆動電圧生成部２０５は、表示データを表示するための１画面周期（１フレーム周期）の信号、水平同期信号２０７は、１水平周期の信号、データイネーブル信号２０８は、表示データ２０９が有効である期間（表示有効期間）を示す信号である。これらの信号は、同期クロック２１０に同期して、表示制御部２０１に入力される。
【００２６】
表示領域２０４は、マトリクス状に配置された複数の画素（図示せず）を有し、当該複数の画素は、それぞれ対応するデータ線及び走査線等（図示せず）に接続される。また、各データ線は、データ線駆動部２０２に接続され、各走査線は、走査線駆動部２０３に接続される。
【００２７】
データ線駆動部２０２は、データ線制御信号２１１に応じて、各画素に書き込む表示電圧を生成し、データ線駆動信号２１３として、表示領域２０４に出力する。また、走査線駆動部２０３は、表示制御部２０１からの走査線制御信号２１２に応じて、各画素に配置された後述するトランジスタスイッチ（図示せず）を制御するための走査線駆動信号２１４を、表示領域２０４に出力する。
【００２８】
駆動電圧生成部２０５は、各画素を駆動するための駆動電圧Ｖｃｃを生成し、表示領域２０４に出力する。なお、上記データ線駆動部２０２や各画素等の詳細な構成については後述する。
【００２９】
図３は、各画素の構成を説明するための図である。図３に示すように、各画素３０１は、保持容量３０２、駆動トランジスタ３０３、書き込み制御スイッチ３０４、発光制御スイッチ３０５、有機ＥＬ３０６を有する。
【００３０】
保持容量３０２の一端は、データ線３０７に接続され、他端は、駆動トランジスタ３０３のゲートに接続される。駆動トランジスタ３０３のソースまたはドレインの一方は、駆動電圧供給線３０８に接続され、他方は、有機ＥＬ３０６に接続される。なお、駆動電圧供給線３０８には、前述した駆動電圧生成部２０５からの駆動電圧Ｖｃｃが供給される。
【００３１】
発光制御スイッチ３０５のゲートは、発光制御線３１０へ接続され、ソースまたはドレインの一方は、駆動トランジスタ３０３の出力側に接続され、他方は有機ＥＬ３０６に接続される。なお、発光制御スイッチ３０５は、当該発光制御線３１０を介して、走査線駆動部２０３からの走査線駆動信号２１４により、制御される。
【００３２】
書き込み制御スイッチ３０４のゲートは、書き込み制御線３０９に接続され、ソースまたはドレインの一方は、駆動トランジスタ３０３のゲートに接続され、他方は、駆動トランジスタ３０３の出力側及び有機ＥＬ３０６に接続される。なお、書き込み制御スイッチ３０４は、当該書き込み制御線３０９を介して、走査線駆動部２０３からの走査線駆動信号２１４により、制御される。
【００３３】
有機ＥＬ３０６の一端は、発光制御スイッチ３０５に接続されるとともに、他端は、接地３１１される。
【００３４】
ここで、図３においては、図が煩雑になるため省略したが、図４に示すように、各画素３０１は、更に、検出スイッチ４０１を有する。検出スイッチ４０１の一端は、有機ＥＬ３０６に接続され、他端は、データ線３０７に接続される。なお、図４において、画素制御部３１２は、図３における駆動トランジスタ３０３、書き込み制御スイッチ３０４、発光制御スイッチ３０５、及び、保持容量３０２で構成される回路に対応する。
【００３５】
次に、データ線駆動部２０２の構成について、説明する。図４に示すように、データ線駆動部２０２は、表示電圧ＤＡＣ４０２、検出電源４０３、検出部４０４、パルス信号発生部４０５、フィルタ制御部４０６、フィルタ部４０７、切換部４０８を有する。
【００３６】
なお、データ線駆動部２０２は、走査線駆動部２０３と一体として、または、走査線駆動部２０３及び表示制御部２０１と一体として形成してもよい。また、データ線駆動部２０２における表示電圧ＤＡＣ４０２以外の検出部４０４等をデータ線駆動部２０２とは別個に形成してもよいし、または、走査線駆動部２０３等に形成してもよい。更に、検出電源４０３やパルス信号発生部４０５をデータ線駆動部２０２外部に別個に設けてもよい。
【００３７】
図４において、表示電圧ＤＡＣ４０２は、表示制御部２０１及び切換部４０８に接続され、表示制御部２０１からのデータ線駆動信号２１３に応じて、表示電圧を各画素３０１に出力する。パルス信号発生部４０５は、矩形形状のパルス信号を生成する。当該パルス信号発生部４０５は、フィルタ部４０７を介して、切換部４０８に接続される。
【００３８】
検出用電源は、切換部４０８及び検出スイッチ４０１を介して、有機ＥＬ３０６に接続される。検出部４０４の入力側は、切換部４０８及び検出スイッチ４０１を介して、有機ＥＬ３０６に接続されるとともに、出力側は、フィルタ制御部４０６に接続される。
【００３９】
フィルタ部４０７は、上記フィルタ制御部４０６からのフィルタ制御信号に応じて、パルス信号発生部４０５からのパルス信号を、立ち上がり及び／または立ち下がり波形の鈍った信号に変化させ、基準電圧信号ＶＳＬとして、画素制御部３１２に出力する。
【００４０】
なお、フィルタ部４０７は、いわゆるデジタルフィルタによって形成してもよいが、これに限定されるものではなく、例えば、図５に示すような回路で構成してもよい。この場合、図５に示すように、フィルタ部４０７は、複数の抵抗５０１、コンデンサ５０２、及びスイッチ５０３により構成される。
【００４１】
具体的には、各抵抗５０１は、図５に示すように順に接続されるとともに、各接続部分はスイッチ５０３に入力される。また、コンデンサ５０２の一端は、スイッチ５０３からの出力線５０４に接続され、他端は、接地される。出力線５０４は、切換部４０８に接続される。また、スイッチ５０３のパルス信号入力線５０５には、パルス信号発生部４０５からのパルス信号が入力され、フィルタ制御信号入力線５０６には、フィルタ制御部４０６からのフィルタ制御信号が入力される。そして、フィルタ制御部４０６からのフィルタ制御信号に応じて、スイッチ５０３を切り換え、フィルタ部４０７のフィルタ係数を変化するように構成すればよい。なお、当該スイッチ５０３は、例えば、トランジスタスイッチ等により構成される。また、上記は例示であって、フィルタとして機能できれば、異なる構成であってもよいことはいうまでもない。
【００４２】
次に、当該表示装置１００の具体的な動作について述べる。まず、劣化した画素３０１の検出動作について、図４を参照しつつ、述べる。なお、当該検出動作は、表示装置１００の表示画面への表示が特に問題にならない場合、例えば、当該表示装置１００が折りたたみ式携帯電話に用いられる場合において折りたたんでいる場合、表示装置１００の電源投入時、または、表示装置１００が使用されていない場合等に行うようにしてもよい。または、例えば、１フレーム期間内に後述する各画素３０１の書き込み期間と発光期間の他に、検出期間を設け、例えば、１フレーム毎等に検出する構成等としてもよい。
【００４３】
当該検出動作時には、検出電源４０３から有機ＥＬ３０６に電流を流すように、切換部４０８を切り換えるとともに、検出スイッチ４０１をオンする。このとき、検出部４０４は、例えば、当該有機ＥＬ３０６に流れる電流値または当該電流値に基づく電圧値等を検出し、劣化情報として、フィルタ制御部４０６へ出力する。
【００４４】
そして、フィルタ制御部４０６は、当該劣化情報に応じて、フィルタ部４０７のフィルタ係数を算出し、フィルタ制御信号として、フィルタ部４０７に出力する。フィルタ部４０７は、当該フィルタ制御信号に応じて、その特性を変化させる。
【００４５】
具体的には、フィルタ制御部４０６は、当該劣化情報、つまり、当該電流値または電圧値が小さい程、フィルタ部４０７が低い遮断周波数を有するような、つまり、より低い周波数のみを通過するようなフィルタ係数を算出する。言い換えれば、フィルタ制御部４０６は、画素３０１の劣化が進んでいる程、フィルタ部４０７を通過したパルス信号がより鈍った波形を有するようなフィルタ係数を算出する。なお、ここで、当該パルス信号発生部４０５からのパルス信号の立ち上がり波形のみ、立ち下がり波形のみ、又はその両者が鈍った波形を有するようなフィルタ係数であってもよい。
【００４６】
なお、検出部４０４は、当該劣化情報が所定の閾値以上になると、フィルタ部４０７がフィルタとして動作するようフィルタ制御信号を出力し（補正動作）、それ以外の場合には、パルス信号発生部４０５からのパルス信号をそのまま通過させるようフィルタ部４０７を制御してもよい。また、複数の閾値を設け、例えば、輝度が１％劣化した場合に、上記補正動作を行い、輝度が２％劣化した場合に更に補正動作を行うというように、順次当該補正動作を行うように構成してよい。この場合、輝度の劣化の程度（％）は、例えば、隣接する１または複数の画素３０１を比較し、輝度の劣化の程度（％）を決定してもよい。
【００４７】
なお、上記劣化した画素３０１を検出する動作及び構成は、例示であって、これに限定されるものではなく、画素３０１の劣化を検出できる限り、異なる構成であってもよい。例えば、上記においては、画素３０１の劣化情報の検出を画素３０１毎に行う構成としたが、例えば、マトリクス状に配置された複数の画素３０１の列や行、または所定数の画素で構成される画素ブロック毎等、その他の単位で検出する構成としてもよい。
【００４８】
次に、各画素３０１の書き込み期間及び発光期間における動作について説明する。図４において、書き込み期間には、切換部４０８は、表示電圧ＤＡＣ４０２の出力をデータ線３０７に出力するように切り換える。また、発光期間には、切換部４０８は、パルス信号発生部４０５からの出力を、フィルタ部４０７を介して、データ線３０７に出力するように、切り換える。
【００４９】
また、各画素３０１の動作は、下記のとおりである。書き込み期間には、図６（Ａ）−（Ｃ）に示すように、順にプリチャージ動作、書き込み動作を行う。なお、図６においては、説明の簡略化のため、書き込み制御スイッチ３０４等をスイッチ等の記号にて示すが、同一の符号は同一の要素を示すことはいうまでもない。なお、Ｖｃｃは、駆動トランジスタ３０３を駆動するための駆動供給電圧Ｖｃｃを示し、当該駆動供給電圧Ｖｃｃは、駆動電圧生成部２０５より供給される。また、図７は、各制御信号のタイミングチャートを示す。
【００５０】
まず、時刻Ｔ１において、データ線３０７に、データ線駆動部２０２より表示電圧（Ｖｄａｔａ）が出力される。次に、図６（Ａ）に示に示すように、時刻Ｔ２において、書き込み制御スイッチ３０４、発光制御スイッチ３０５がオンされる。よって、矢印（ａ）のように電流が流れ、駆動トランジスタ３０３のゲートは、低電圧となる。
【００５１】
時刻Ｔ３においては、図６（Ｂ）に示すように、発光制御スイッチ３０５がオフされ、駆動トランジスタ３０３のゲートの電圧は、駆動電圧供給線３０８の電圧Ｖｃｃと駆動トランジスタ３０３の閾値電圧Ｖｔｈの差、Ｖｃｃ−Ｖｔｈとなる。このとき、保持容量３０２の電圧は、Ｖｃｃ−Ｖｔｈ−Ｖｄａｔａとなる。なお、このとき矢印（ｂ）のように電流は流れる。
【００５２】
次の時刻Ｔ４においては、図６（Ｃ）に示すように、書き込み制御スイッチ３０４がオフされ、他の画素３０１への書き込みが行われるが、その際、保持容量３０２の電圧は保持される。なお、本実施の形態においては、他の画素３０１への書き込み（例えばVdataM）により、データ線３０７の電圧が変化し、その結果、データ線３０７の変化に応じて駆動トランジスタ３０３のゲート電圧が変化するが、図６においては、当該データ線の電圧の変化は省略した。
【００５３】
時刻Ｔ５においては、図６（Ｄ）に示すように、全てのデータ線３０７に基準電圧（VSL）を印加するとともに、発光制御スイッチ３０５をオンにする。これにより、Ｖｃｃ−Ｖｔｈ−Ｖｄａｔａ＋ＶＳＬに応じた電流が有機ＥＬ３０６に流れ、有機ＥＬ３０６が発光する。
【００５４】
このとき、上記ＶＳＬは、当該画素３０１が劣化している場合、上記フィルタ部４０７により、入力されるＶＳＬの高周波成分がカットされ、図７に示すように、立ち上がり及び／または立ち下がり波形が鈍ったＶＳＬとなる。なお、当該画素が劣化しているか否かについては、前述のように検出部４０４により検出期間に判断される。
【００５５】
ここで、上記立ち上がり及び／または立ち下がり波形が鈍ったＶＳＬについて、図８を用いて、更に、具体的に説明する。図８において（ａ）は、パルス信号発生部４０５からのＶＳＬ、または、フィルタ部４０７をそのまま通過して、つまり、いずれの周波数成分もカットされずに、画素制御部３１２に与えられるＶＳＬを示し、（ｂ）は、フィルタ部４０７を通過した立ち上がり波形が鈍った波形を有するＶＳＬを示す。
【００５６】
図８に示すように、立ち上がり波形が鈍ったＶＳＬは、（ａ）のＶＳＬに対して、時間的に遅れて所定の基準電圧に収束する。つまり、（ｂ）に示す立ち上がり波形が鈍ったＶＳＬは、ある収束時間を有する信号である。なお、当該所定の基準電圧は、パルス信号発生部４０５により決まることはいうまでもない。言い換えれば、立ち上がり波形の鈍ったＶＳＬは、（ａ）の波形の立ち上がり角度（例えば、図８においては９０°）よりも、低い角度にて立ち上がる信号であるとも言える。なお、図８においては、立ち上がり波形が鈍ったＶＳＬについてのみ、説明したが、立ち下り波形においても、同様である。
【００５７】
よって、基準電圧が収束するまでの間（収束時間）には、駆動トランジスタ３０３のゲートに供給される電圧は、鈍った波形の分だけ、電圧が低くなる。本実施の形態において、駆動トランジスタ３０３は、ＰＭＯＳトランジスタで構成されていることから、収束時間には、有機ＥＬ３０６には、より多くの電流が流れ、結果として、図９に示すように、有機ＥＬ３０６を、収束時間の間、より強く発光させることができる。なお、図９は、発光期間における劣化した有機ＥＬ３０６の発光強度を説明するための図である。
【００５８】
上記のような書き込み及び発光動作を繰り返すことにより、各画素３０１が駆動される。なお、上記に説明した表示装置１００や各画素３０１の構成及び動作は、例示であって、それに限定されるものではなく、実質的に同一の構成、同一の作用効果又は同一の目的を達成できるものであれば異なるものであってもよい。
【００５９】
以上のように、本実施の形態においては、劣化した有機ＥＬ３０６に、より多くの電流を供給し、劣化した有機ＥＬ３０６の輝度を劣化していない有機ＥＬ３０６の輝度と同様にすることで、焼付きを目立たなくすることができる。特に、近年では、表示する画像サイズと実際の表示画面のサイズが異なる場合（例えば、４：３の画像を１６：９の画面に表示する場合等）や、データサイズの観点から、実際の表示画面より小さいサイズの画像を表示することが多い。
【００６０】
このような場合、図１０に示すように、表示画面９００端部の縦方向に、焼付き９０１が生じる場合がある。本実施の形態では、列毎に各画素３０１の発光輝度を補正することから、特に図１０に示したような焼付き９０１に対して効果的に焼付きを目立たなくすることができる。更に、当該補正により、経時変化に伴う色バランスの変化も補正することができる。
【００６１】
[変形例]
次に、本発明の変形例について説明する。上記実施の形態では、表示画面を構成する列毎に、基準電圧信号（VSL）を印加するため、データ線３０７に、ＶＳＬを印加したが、本変形例では、表示画面を構成する各画素の行毎に、ＶＳＬを印加する点が異なる。なお、下記において、上記実施の形態と同様である点については説明を省略する。
【００６２】
図１１は、本変形例における表示装置６００を説明するための図である。また、図１２は、本変形例における各画素６０１を説明するための図である。上記実施の形態と異なり、フィルタ部４０７の出力線６０２は、画素制御部６０６に入力され、切換部６０５には、接続されない。
【００６３】
また、上記実施の形態と異なり、本変形例における各画素６０１は、更に、トランジスタスイッチ６０３を有し、当該トランジスタスイッチ６０３のゲートは、発光制御線３１０に接続される。トランジスタスイッチ６０３の出力側は、トランジスタスイッチ６０３及び保持容量３０２を介して、駆動トランジスタ３０３のゲートに接続され、入力側は、基準電圧線６０４に接続される。
【００６４】
また、当該基準電圧線６０４は、上記フィルタ部４０７の出力線６０２に接続される。つまり、基準電圧線６０４は、各画素６０１の行毎に、トランジスタスイッチ６０３及び保持容量３０２を介して、駆動トランジスタ３０３のゲートに接続される。なお、その他の点については、上記実施の形態と同様であるため説明を省略する。
【００６５】
なお、データ線駆動部６０７は、走査線駆動部２０３と一体として、または、走査線駆動部２０３及び表示制御部２０１と一体として形成してもよい。また、データ線駆動部６０７における表示電圧ＤＡＣ４０２以外の検出部４０４等をデータ線駆動部６０７とは別個に形成してもよいし、または走査線駆動部２０３等に形成してもよい点等も、上記実施の形態と同様である。
【００６６】
次に、本変形例における表示装置６００の動作について説明する。発光期間には、発光制御線３１０に出力される発光制御信号により、トランジスタスイッチ６０３及び発光制御スイッチ３０５がオンされる。よって、全ての基準電圧線６０４にＶＳＬが印加され、Ｖｃｃ−Ｖｔｈ−Ｖｄａｔａ＋ＶＳＬに応じた電流が有機ＥＬ３０６に流れ、有機ＥＬ３０６が発光する。
【００６７】
このとき、上記実施の形態と同様に、画素６０１が劣化している場合に入力されるＶＳＬは、立ち上がり及び／または立ち下りにおいて鈍った波形を有する。ＶＳＬが収束するまでの間（収束時間）には、駆動トランジスタ３０３に供給される電圧は、当該鈍った波形の分だけ、電圧が低くなる。よって、収束時間には、収束有機ＥＬ３０６には、より多くの電流が流れ、結果として、有機ＥＬ３０６を、収束時間の間、より強く発光させることができる。
【００６８】
なお、その他の動作については、上記実施の形態と同様であるため、説明を省略する。また、上記に説明した本変形例における表示装置６００や各画素６０１の構成及び動作は例示であって、それに限定されるものではなく、実質的に同一の構成、同一の作用効果又は同一の目的を達成できるものであれば異なるものであってもよい。
【００６９】
上記のような構成により、劣化した画素６０１により多くの電流を流すことで、劣化した画素６０１の画素の輝度を劣化の生じていない画素の輝度と同様にすることができ、結果として、焼付きを目立たなくすることができる。特に、近年では、表示する画像サイズと実際の表示画面のサイズが異なる場合（例えば、４：３の画像を１６：９の画面に表示する場合等）や、データサイズの観点から、実際の表示画面より小さいサイズの画像を表示することがある。
【００７０】
本変形例では、上記のように基準電圧を、行毎に各画素６０１に印加するため、上記実施の形態と異なり、表示画面の行毎に劣化した画素の発光輝度を劣化の生じていない画素の輝度と同様にすることができる。したがって、表示画面９００の行方向に焼付きが生じる場合、例えば、図１３に示すように、表示画面９００端部において、横方向に焼付き１２１が生じる場合に、効果的に焼付き１２１を目立たなくすることができる。更に、当該補正により、経時変化に伴う色バランスの変化も補正することができる。なお、図１３は、表示画面９００横方向の焼付き１２１の一例を説明するための図である。
【００７１】
なお、上記実施の形態及び変形例においては、劣化が進んだ画素３０１、６０１に、立ち上がり及び／または立ち下がり波形の鈍ったＶＳＬを入力する構成としたが、表示装置１００、６００の使用開始当初から、全ての画素３０１、６０１に、立ち上がり及び／または立ち下がり波形の鈍ったＶＳＬを入力し、その後各画素３０１、６０１の劣化情報に応じて、劣化の進んでいない画素に、より高周波成分を有するＶＳＬを印加するように構成してもよい。なお、この場合、上記より高周波成分を有するＶＳＬは、フィルタ部４０７をそのまま通過したＶＳＬ、つまり、フィルタ部４０７によりいずれの周波数成分もカットされなかったＶＳＬを含んでもよい。当該構成によっても、より均一な表示画面を実現することができる。
【００７２】
また、上記実施の形態及び変形例においては、劣化が進んだ画素３０１、６０１に、立ち上がり及び／または立ち下がり波形の鈍ったＶＳＬを入力する構成としたが、表示装置１００、６００の使用開始当初から、全ての画素３０１、６０１に、立ち上がり及び／または立ち下がり波形の鈍ったＶＳＬを入力し、その後各画素３０１、６０１の劣化情報に応じて、劣化の進んでいる画素３０１、６０１に、より高周波成分を有するＶＳＬを印加するように構成してもよい。この場合、劣化の進んでいる画素３０１、６０１は、劣化の進んでいない画素３０１、６０１に比べ、少ない電流で駆動される。
【００７３】
よって、当該劣化の進んでいる画素３０１、６０１の劣化の度合いを相対的に遅くすることができることから、時間の経過に伴い、より均一な表示画面を実現することができる。なお、この場合、上記より高周波成分を有するＶＳＬは、フィルタ部４０７をそのまま通過したＶＳＬ、つまり、フィルタ部４０７によりいずれの周波数成分もカットされなかったＶＳＬを含んでもよいことは上記と同様である。
【００７４】
また、上記実施の形態及び変形例においては、劣化が進んだ画素３０１、６０１に、立ち上がり及び／または立ち下がり波形の鈍ったＶＳＬを入力する構成としたが、劣化が進んでいない画素３０１、６０１に、立ち上がり及び／または立ち下がり波形の鈍ったＶＳＬを入力する構成としてもよい。この場合、劣化の進んでいない画素３０１、６０１により多くの電流を流すこととなる。よって、当該劣化の進んでいない画素３０１、６０１の劣化の度合いを、劣化の進んだ画素３０１、６０１よりも、相対的に早くすることができることから、時間の経過に伴い、より均一な表示画面を実現することができる。
【００７５】
なお、上記実施の形態及び変形例においては、発光素子として有機ＥＬ素子を用いることとしたが、これに限らず、例えば、無機ＥＬ素子やＦＥＤ（Field-Emission Device）など、各種の発光素子を用いてもよい。また、上記実施の形態及び変形例においては、ＰＭＯＳトランジスタを駆動トランジスタとして用いる構成としたが、例えば、ＶＳＬの極性を逆にする等により、ＮＭＯＳトランジスタを用いて構成することもできることはいうまでもない。
【００７６】
また、上記実施の形態または変形例においては、フィルタ制御部４０６及びフィルタ部４０７を設け、フィルタ制御部４０６により、フィルタ部４０７のフィルタ係数を変化させる構成としたが、フィルタ係数が固定されたローパスフィルタを用いてもよい。この場合であっても、劣化した有機ＥＬ３０６により、多くの電流を流すことができる。
【００７７】
また、上記実施の形態及び変形例における表示装置１００、６００は、パソコン用ディスプレイ、ＴＶ放送受信用ディスプレイ、公告表示用ディスプレイ等の各種の情報表示用の表示装置として採用できる。また、デジタルスチルカメラ、ビデオカメラ、カーナビゲーションシステム、カーオーディオ、ゲーム機器、携帯情報端末など、各種の電子機器の表示部として利用することもできる。
【００７８】
なお、特許請求の範囲における基準信号印加部は、例えば、上記実施の形態または変形例におけるパルス信号発生部４０５、フィルタ部４０７、フィルタ制御部４０６に対応する。
【００７９】
本発明は、上記実施の形態または変形例に限定されるものではなく、種々の変形が可能である。例えば、上記実施の形態で示した構成と実質的に同一の構成、同一の作用効果を奏する構成又は同一の目的を達成することができる構成で置き換えることができることはいうまでもない。
【符号の説明】
【００８０】
１００、６００  表示装置、１１０  上フレーム、１２０  下フレーム、１３０  フレキシブル基板、１４０  回路基板、２０１  表示制御部、２０２  データ線駆動部、２０３  走査線駆動部、２０４  表示領域、２０５  駆動電圧生成部、３０１、６０１  画素、３０２  保持容量、３０３  駆動トランジスタ、３０４  書き込み制御スイッチ、３０５  発光制御スイッチ、３０６  有機ＥＬ、４０２  表示電圧ＤＡＣ、４０３  検出電源、４０４  検出部、４０５  パルス信号発生部、４０６  フィルタ制御部、４０７  フィルタ部、４０８  切換部、５０１  複数の抵抗、５０２  コンデンサ、５０３  スイッチ、６０３  トランジスタスイッチ。
【図１】
2012058369.tif 000003
【図２】
2012058369.tif 000004
【図３】
2012058369.tif 000005
【図４】
2012058369.tif 000006
【図５】
2012058369.tif 000007
【図６】
2012058369.tif 000008
【図７】
2012058369.tif 000009
【図８】
2012058369.tif 000010
【図９】
2012058369.tif 000011
【図１０】
2012058369.tif 000012
【図１１】
2012058369.tif 000013
【図１２】
2012058369.tif 000014
【図１３】
2012058369.tif 000015